(57)【要約】      （修正有）【課題】消火器を素早く容易に携行することができるとともに、消火器の転倒を防いで安定的に固定することのできる携行用消火器ホルダーを提供する。【解決手段】消火器を携行するための携行用消火器ホルダー１であって、消火器の高さ方向に沿って立設されて消火器を支持する支柱部２と、消火器の底部外周縁より平面視で外方向に大きく形成されており支柱部２の下部に設けられている安定載置部３と、支柱部２の上部に設けられている持ち手部４と、支柱部２に消火器を固定する固定部５とを有する。【選択図】図１
0003198682.tif 000002
【実用新案登録請求の範囲】
【請求項１】
消火器を携行するための携行用消火器ホルダーであって、前記消火器の高さ方向に沿って立設されて前記消火器を支持する支柱部と、前記消火器の底部外周縁より平面視で外方向に大きく形成されており前記支柱部の下部に設けられている安定載置部と、前記支柱部の上部に設けられている持ち手部と、前記支柱部に前記消火器を固定する固定部とを有する、前記携行用消火器ホルダー。
【請求項２】
前記支柱部には、前記消火器を配置する側とは反対側の後方に向けて延出されているとともにその先端が下方に向けて鈎状に形成されている後方掛止部が設けられている、請求項１に記載の携行用消火器ホルダー。
【請求項３】
前記後方掛止部が、前記支柱部から後方に向けて延出されている略水平板と、この略水平板の先端から下方に向けて延出されている略鉛直板とにより鈎状を形成してなり、前記略鉛直板には、前記支柱部の背面との間で掛止体を挟持可能な挟持部材が設けられている、請求項２に記載の携行用消火器ホルダー。
【請求項４】
前記安定載置部が略リング状に形成されているとともに、前記支柱部の底部から前記安定載置部の内側に突設されてその先端が上方に向けて鈎状に形成された底受部を有している、請求項１から請求項３のいずれかに記載の携行用消火器ホルダー。
【請求項５】
前記支柱部の消火器を配置する側である正面には、前記消火器の外側面に付設された環状の掛金具を収容可能な掛金具収容部が形成されているとともに、前記掛金具収容部には、下縁から上方に向けて突設されている掛金具掛止凸部が形成されている、請求項１から請求項４のいずれかに記載の携行用消火器ホルダー。
【考案の詳細な説明】
【技術分野】
【０００１】
本考案は、交通事故現場等に消火器を携行するための携行用消火器ホルダーに関するものである。
【背景技術】
【０００２】
高速道路等において交通事故が発生した場合、車両火災が生じるおそれがあるため、道路パトロールカーには消火作業を行うための消火器が搭載されている。しかし、一般的な消火器は、縦長円筒状に形成されているため、走行中の車内や現場の道路上では倒れやすく、消火剤の漏れや品質管理の点で問題が生じるおそれがある。
【０００３】
このような問題に対し、従来の消火器の転倒等を防止するものとして、特開２００２−１２６１１６号公報には、消火器を固定する壁掛け用ブラケットが提案されている(特許文献１）。この消火器の壁掛け用ブラケットは、壁に沿って縦方向に取り付けられる帯形状を呈する金属製のブラケット本体と、ブラケット本体の上部の正面側に設けられ、消火器の側面に付設されている掛金具を上方から引っ掛けられるフック部と、ブラケット本体の下部の正面側に設けられ、前記消火器の底部の外周縁一部が上方から引っ掛けられる底受部と、ブラケット本体の前記フック部と前記底受部との中間部にそれぞれ取り付けられ消火器本体の外周面を締め付ける締結バンドと、この締結バンドの一端部及び他端部にそれぞれ連結され互いに係脱可能な雌雄型留め具とを備えていることを特徴としている。
【０００４】
また、高速道路における交通事故の現場では、後続車の衝突等による二次災害を防ぐ必要がある。そのため、交通事故現場に近づく際には、作業員が旗や発煙筒を持ちながら作業をし、注意を喚起している。したがって、消火器を持ち運ぶ場合には、ハンドル部分が持ちにくいし、重量もあって落とすと危険であるから、両手で抱えるようにして持つなど、非常に作業がしにくいものである。
【０００５】
かかる問題に対し、従来、消火器を携行するためのものとして、特開平１０−１１３４０３号公報には、ループ状のベルトに消火器の掛金具を引っ掛けるフックを取り付けてなる消火器携帯具が提案されている（特許文献２）。
【先行技術文献】
【特許文献】
【０００６】
【特許文献１】特開２００２−１２６１１６号公報
【特許文献２】特開平１０−１１３４０３号公報
【考案の概要】
【考案が解決しようとする課題】
【０００７】
しかしながら、特許文献１に記載の考案では、道路パトロールカー等の車両内で消火器を安定的に固定することはできるが、交通事故現場まで持ち運ぶには、前記消火器をブラケットから取り外さなければならない。交通事故や消火活動は一刻を争う事態であるため、取り外しの時間が惜しいし、手間をかけたくないというニーズが高い。
【０００８】
また、事故現場にて消火器を置く路面は平坦とはいえず、むしろ傾斜していたり、凹凸があるため、従来の製品では安定して載置することができないという問題もある。
【０００９】
本考案は、これらの問題点を解決するためになされたものであって、消火器を素早く容易に携行することができるとともに、消火器の転倒を防いで安定的に固定することのできる携行用消火器ホルダーを提供することを目的としている。
【課題を解決するための手段】
【００１０】
本考案に係る携行用消火器ホルダーは、消火器を携行するための携行用消火器ホルダーであって、前記消火器の高さ方向に沿って立設されて前記消火器を支持する支柱部と、前記消火器の底部外周縁より平面視で外方向に大きく形成されており前記支柱部の下部に設けられている安定載置部と、前記支柱部の上部に設けられている持ち手部と、前記支柱部に前記消火器を固定する固定部とを有する。
【００１１】
また、本考案の一態様として、前記支柱部には、前記消火器を配置する側とは反対側の後方に向けて延出されているとともにその先端が下方に向けて鈎状に形成されている後方掛止部が設けられていてもよい。
【００１２】
さらに、本考案の一態様として、前記後方掛止部が、前記支柱部から後方に向けて延出されている略水平板と、この略水平板の先端から下方に向けて延出されている略鉛直板とにより鈎状を形成してなり、前記略鉛直板には、前記支柱部の背面との間で掛止体を挟持可能な挟持部材が設けられていてもよい。
【００１３】
また、本考案の一態様として、前記安定載置部が略リング状に形成されているとともに、前記支柱部の底部から前記安定載置部の内側に突設されてその先端が上方に向けて鈎状に形成された底受部を有していてもよい。
【００１４】
さらに、本考案の一態様として、前記支柱部の消火器を配置する側である正面には、前記消火器の外側面に付設された環状の掛金具を収容可能な掛金具収容部が形成されているとともに、前記掛金具収容部には、下縁から上方に向けて突設されている掛金具掛止凸部が形成されていてもよい。
【考案の効果】
【００１５】
本考案によれば、消火器を素早く容易に携行することができるとともに、消火器の転倒を防いで安定的に固定することができる。
【図面の簡単な説明】
【００１６】
【図１】本考案に係る携行用消火器ホルダーの一実施形態を示す正面側斜視図である。
【図２】本実施形態の携行用消火器ホルダーを示す背面側斜視図である。
【図３】本実施形態における掛金具固定手段および消火器の掛金具を示す一部断面図である。
【図４】本実施形態における掛金具固定手段に消火器の掛金具を掛止させた状態を示す一部断面図である。
【図５】本実施形態の携行用消火器ホルダーに消火器を固定した状態を示す使用状態図である。
【図６】本実施形態の携行用消火器ホルダーをガードレールに掛止させた状態を示す使用状態図である。
【考案を実施するための形態】
【００１７】
以下、本考案に係る携行用消火器ホルダーの一実施形態について図面を用いて説明する。
【００１８】
本実施形態の携行用消火器ホルダー１は、図１および図２に示すように、主として、消火器Ｆを支持する支柱部２と、この支柱部２の下部に設けられている安定載置部３と、前記支柱部２の上部に設けられている持ち手部４と、前記支柱部２に前記消火器Ｆを固定する固定部５とを有する。
【００１９】
支柱部２は、消火器Ｆの高さ方向に沿って立設されて前記消火器Ｆを支持するものである。本実施形態における支柱部２は、図１および図２に示すように、横断面が略四角形状の中空管材によって形成されている。なお、支柱部２は、横断面が略四角形状に限定されるものではなく、横断面が円状や多角形状、板材等から適宜選択してよい。
【００２０】
また、支柱部２には、前記消火器Ｆを配置する側とは反対側の後方側に、ガードレール等の掛止体Ｏに掛止させるための後方掛止部６が設けられている。本実施形態における後方掛止部６は、図１および図２に示すように、後方に向けて延出されている略水平板６１と、この略水平板６１の先端から下方に向けて延出されている略鉛直板６２とにより鈎状に形成されている。また、前記略鉛直板６２には、前記支柱部２の背面との間で掛止体Ｏを挟持可能とするための挟持部材７が設けられている。
【００２１】
本実施形態における挟持部材７は、前記略水平板６１に沿って螺進するボルト７１を有しており前記ボルト７１の先端と前記支柱部２の背面との間で、掛止体Ｏを挟持するようになっている。本実施形態では、図１および図２に示すように、前記略鉛直板６２に、前記ボルト７１を挿通させるための挿通孔７２が形成されているとともに、この挿通孔７２と軸が一致するように固定され前記ボルト７１を螺合させるナット７３が設けられている。また、前記ボルト７１の先端には前記掛止体Ｏに対して接触面を大きくするための略円盤状に形成された当接部７４が固定されており、後端には前記ボルト７１を回転させ易くするための２枚羽根形状のつまみ部７５が設けられている。
【００２２】
なお、挟持部材７は、ボルト７１等によるのものに限定されるものではなく、例えば、バネ等の付勢部材によって略鉛直板６２等を前記支柱部２の背面側に付勢させ、前記鉛直板６２と前記支柱部２の背面側との間に掛止体Ｏを挟持させるようにしてもよい。
【００２３】
安定載置部３は、前記支柱部２に支持されている消火器Ｆを転倒等しないように安定させた状態で載置させるものであり、図５に示すように、前記消火器Ｆの底部外周縁より平面視で外方向に大きい外縁を有するように形成されている。本実施形態における安定載置部３は、図１および図２に示すように、軽量化等のために、略リング状に形成されており、前記消火器Ｆの底部を支持するための底受部３１を有している。
【００２４】
底受部３１は、消火器Ｆの底部を下方から支持するものであり、前記支柱部２の底部から前記安定載置部３の内側に突設されているとともに、その先端が上方に向けて鈎状に形成されている。これにより、底受部３１は、前記消火器Ｆの底部の周縁を引っ掛けるように掛止し、略リング状の安定載置部３から抜け落ちたり、ズレたりするのを防止する。
【００２５】
なお、安定載置部３は、略リング状のものに限定されるものではなく、例えば、Ｃ字状、Ｕ字状、多角形環状でもよく、板材や網目材等によって形成されていてもよい。
【００２６】
持ち手部４は、携行する際の持ち手となる部分であり、前記支柱部２の上部に設けられている。本実施形態における持ち手部４は、図１および図２に示すように、棒材を前記支柱部２の上方でループ状に形成して構成されている。また、持ち手部４は、持ち運ぶ際に前記消火器Ｆが傾斜しないような重量バランスであって、前記消火器Ｆを外すことなく前記消火器Ｆのグリップを握って消火剤を噴射することができるように、その持ち手位置が前記消火器Ｆのほぼ真上に配置されるように内側方向に屈曲されている。
【００２７】
つぎに、固定部５について説明する。固定部５は、支柱部２に消火器Ｆを固定するためのものであり、本実施形態では、図１および図２に示すように、面ファスナー５３を備えた固定ベルト５１と、この固定ベルト５１を前記支柱部２に挿通させるベルト挿通部５２とを有する。
【００２８】
固定ベルト５１は、ナイロン生地や皮生地等からなる帯状部材であって、各端部に面ファスナー５３を備えており、前記面ファスナー５３，５３同士を貼り合わせることで消火器Ｆを支柱部２に固定できるようになっている。なお、固定ベルト５１は、面ファスナー５３を備えたものに限定されるものではなく、例えば、雌型・雄型の留金具等の各種留金具や移動カン、リュックカン等から適宜選択してよい。
【００２９】
ベルト挿通部５２は、消火器Ｆを配置する側である正面側に突設されているとともに、前記固定ベルト５１を挿通可能な大きさの挿通孔５４が形成されている。このベルト挿通部５２は、支柱部２の上端近傍に設けられており、前記固定ベルト５１を消火器Ｆにおけるグリップとタンクとの接続部分の位置で固定できるようになっている。
【００３０】
また、本実施形態では、消火器Ｆを固定する構成として、前記消火器Ｆの外側面に付設された環状の掛金具ｆを掛止する掛金具固定手段８も有している。具体的には、図１、図３および図４に示すように、前記支柱部２の消火器Ｆを配置する側である正面において開口し、中空部と連通することで前記掛金具ｆを収容可能に形成された掛金具収容部８１と、前記掛金具ｆを掛止するために前記掛金具収容部８１の下縁から上方に向けて突設された掛金具掛止凸部８２とからなる。
【００３１】
つぎに、本実施形態の携行用消火器ホルダー１における各構成の作用について説明する。
【００３２】
消火器Ｆは、本実施形態における固定部５および掛金具固定手段８によって支柱部２に固定される。具体的には、図３に示すように、掛金具固定手段８の掛金具収容部８１に、消火器Ｆの外側面に付設された掛金具ｆを収容し、図４に示すように、前記消火器Ｆを下方にスライドさせることによって前記掛金具ｆに掛金具掛止凸部８２を掛止させる。このように、掛金具ｆが掛金具収容部８１に収容されることによって、消火器Ｆは、傾斜することなく支柱部２に沿って略垂直状に立設させた状態で固定される。
【００３３】
底受部３１では、消火器Ｆの底部を下方から受け止める。本実施形態における底受部３１は、鈎状の部分が消火器Ｆの底部の周縁を引っ掛けるように掛止する。これによって、消火器Ｆが略リング状に形成された安定載置部３から抜け落ちるのを防止するとともに、前記消火器Ｆの底部が前記安定載置部３からずれるのを防止する。
【００３４】
また、固定部５では、固定ベルト５１によって消火器Ｆのグリップとタンクとの接続部分を周回して面ファスナー５３，５３同士を貼り付けることによって締結し前記消火器Ｆを固定する。
【００３５】
これによって、携行用消火器ホルダー１は、図５に示すように、消火器Ｆをしっかりと固定することができる。
【００３６】
つぎに、消火器Ｆを固定した携行用消火器ホルダー１を携行する際の作用について説明する。持ち手部５は携行の際に持ち手となる。また、本実施形態では、前記持ち手部５の上端側を前方に屈曲させ、消火器Ｆの重心位置の上方に持ち手位置を配置したため、前記消火器Ｆを傾斜させずに略垂直な状態で持ち上げることができ、片手による持ち上げ作業を容易に行うことができる。よって、交通事故現場等においては、消火器Ｆを携行しつつ、自由に使用できる逆の手によって旗を振ったり発煙筒を持ったりすることが可能となり、後続車に事故の存在を知らせながら安全に現場に近づくことができる。
【００３７】
安定載置部３では、平面視において消火器Ｆの底部外周縁より外方向に大きく形成されているため、消火器Ｆの底よりも安定度が高くなり、平坦ではない路面においても転倒を防止することができる。また、本実施形態における安定載置部３は、略リング状に形成することで軽量化されているため持ち運び易くなっている。
【００３８】
後方掛止部６では、掛止体Ｏに掛止することができる。例えば、自動車内においては、座席の背もたれ等に掛けておくことができる。また、交通事故等において外に携行した場合は、図６に示すように、ガードレールＯ等に引っ掛けておくことができる。これにより、自動車の走行中や道路上に置くと倒れてしまうような悪路であっても、消火器Ｆを倒れないように支持することができる。また、携行する際や消火器Ｆとして使用する際は、掛止体Ｏから簡単に取り外すことができるため、素早く持ち運ぶことができる。
【００３９】
また、厚さの異なる掛止体Ｏに対しては、挟持部材７のボルト７１に設けられたつまみ部７５をつまみながら回転させ、前記ボルト７１の先端の当接部７４と支柱部２の背面との間に、前記掛止体Ｏを挟持することにより前記掛止体Ｏに対して確実に固定することもできる。
【００４０】
さらに、持ち手部５が、消火の邪魔にならないように消火器２の上方においてループ状に屈曲されているため、前記消火器Ｆは携行用消火器ホルダー１に固定したまま使用することができる。そのため、携行先において取り外す作業等は不要であり、素早い消火活動を行うことができる。
【００４１】
以上のような本実施形態の携行用消火器ホルダー１によれば、以下の効果を得ることができる。
１．消火器Ｆをしっかりと固定しているため、素早く容易に持ち運ぶことができる。
２．平坦ではない場所においても安定的に載置することができ転倒を防止することができる。
３．ガードレールＯ等に掛止することができるし、持ち運ぶ際には簡単に取り外すことができる。
４．携行用消火器ホルダー１に消火器Ｆを固定したまま操作することができるため、素早い消火活動を行うことができる。
【００４２】
なお、本考案に係る携行用消火器ホルダーは、前述した各実施形態に限定されるものではなく、適宜変更することができる。
【００４３】
例えば、携行用消火器ホルダー１は、交通事故現場以外の様々な場所で使用することができる。また、消火器Ｆは、蓄圧式消火器や加圧式消火器等、種々の消火器を携行することができる。
【符号の説明】
【００４４】
１  携行用消火器ホルダー
２  支柱部
３  安定載置部
４  持ち手部
５  固定部
６  後方掛止部
７  挟持部材
８  掛金具固定手段
３１  底受部
５１  固定ベルト
５２  ベルト挿通部
５３  面ファスナー
５４  挿通孔
６１  略水平板
６２  略鉛直板
７１  ボルト
７２  挿通孔
７３  ナット
７４  当接部
７５  つまみ部
８１  掛金具収容部
８２  掛金具掛止凸部
Ｏ  掛止体（ガードレール）
Ｆ  消火器
ｆ  掛金具
【図１】
0003198682.tif 000003
【図２】
0003198682.tif 000004
【図３】
0003198682.tif 000005
【図４】
0003198682.tif 000006
【図５】
0003198682.tif 000007
【図６】
0003198682.tif 000008